(57)【特許請求の範囲】
【請求項１】
暗証番号入力に基づいて視聴制限制御を行う情報表示機器であって、
視聴制限の一部を解除する暗証番号を入力するための暗証番号入力部と、
第１の表示信号の視聴制限の一部を解除するための第１の視聴部材を接続する第１の接続部と、
第２の表示信号の視聴制限の一部を解除するための第２の視聴部材を接続する第２の接続部と、を有し、
前記第１の視聴部材を前記第２の接続部に接続することで、前記暗証番号入力部からの前記暗証番号の入力待ち状態となることを特徴とする視聴制限制御を行う情報表示機器。
【請求項２】
暗証番号入力に基づいて視聴制限制御を行う情報表示機器であって、
視聴制限の一部を解除する暗証番号を入力するための暗証番号入力部と、
第１の表示信号の視聴制限の一部を解除するための第１の視聴部材を接続する第１の接続部と、
第２の表示信号の視聴制限の一部を解除するための第２の視聴部材を接続する第２の接続部と、を有し、
前記第１の視聴部材を前記第２の接続部に接続し、かつ、前記第２の視聴部材を前記第１の接続部に接続することで、前記暗証番号入力部からの前記暗証番号の入力待ち状態となることを特徴とする視聴制限制御を行う情報表示機器。
【請求項３】
前記第１の視聴部材と前記第２の視聴部材は、B-CASカードとC-CASカードであることを特徴とする請求項１又は２記載の視聴制限制御を行う情報表示機器。
【請求項４】
視聴制限が解除した時間を計測するタイマーを有し、該視聴制限解除時間が所定時間を越えた場合には、前記前記暗証番号の入力待ち状態となることを特徴とする請求項１又は２記載の視聴制限制御を行う情報表示機器。
【請求項５】
前記第１の表示信号又は前記第２の表示信号は、無線又は有線の放送信号であることを特徴とする請求項１又は２に記載の視聴制限制御を行う情報表示機器。
【請求項６】
前記第１の表示信号又は前記第２の表示信号は、インターネットから送信されてくる表示信号であることを特徴とする請求項１又は２に記載の視聴制限制御を行う情報表示機器。
【請求項７】
前記第１の表示信号又は前記第２の表示信号は、記憶媒体に記録された表示信号であることを特徴とする請求項１又は２に記載の視聴制限制御を行う情報表示機器。
【請求項８】
前記第１の表示信号と前記第２の表示信号は、無線或は有線の放送信号、インターネットから送信されてくる表示信号、及び記憶媒体に記録された表示信号の内から選択される信号であることを特徴とする請求項１又は２に記載の視聴制限制御を行う情報表示機器。
【発明の詳細な説明】
【０００１】
【発明の属する技術分野】
本発明は、視聴制限機能を備えた受信機に関する。
【０００２】
【従来の技術】
従来、視聴制御の一種としてペアレンタルロック機能がある。これは主として青少年に好ましくないテレビ番組に制限フラグを付け、このようなテレビ番組を選局した時には暗証番号を正しく入力しないと表示できないようにしたものである。青少年の親がこの暗証番号を設定しておけば、子供はその暗証番号を知らないので、子供が勝手にそのようなテレビ番組を視聴することを防止することが出来ることとなる。
【０００３】
従来のペアレンタルロック機能のロック設定解除手順を、図３のフローチャートを用いて説明する。受信機に初めて電源を入れると、ユーザーはまず初期設定で「ロックする／ロックしない」の設定や、「ペアレンタルロック年齢」、「暗証番号」などを設定し（Ｓ３００）、テレビ映像信号の受信機の不揮発メモリには「ロックする／ロックしない」の設定をフラグとして記憶する（Ｓ３０１）。
【０００４】
上記設定終了後、指示入力待ち（Ｓ３０２）になり、設定変更の入力があれば（Ｓ３０３）、子供が勝手に変更できないように暗証番号入力を要求し（Ｓ３０４）、入力された番号と予め設定されている暗証番号との一致を調べる（Ｓ３０５）。そして両暗証番号が一致した場合のみ、「ロックする／ロックしない」の設定や「ペアレンタルロック対象年齢」などの設定変更が可能となり（Ｓ３０６）、変更にあわせてフラグを正しく更新し（Ｓ３０７、Ｓ３０８）、指示入力待ちに戻る。
【０００５】
一方、指示入力待ちで選局指示があった場合には（Ｓ３０２、Ｓ３０３）、フラグがロック設定になっているかをチェックし（Ｓ３０９）、ロック設定でなければそのまま選局通りに表示する（Ｓ３１０）。ロック設定であれば、テレビ番組とともに送信されているテレビ番組情報の中から該当するテレビ番組の視聴可能年齢データを取り出し（Ｓ３１１）、設定しているペアレンタルロック年齢と比較する（Ｓ３１２）。この時、設定しているペアレンタルロック年齢の方が視聴可能年齢データよりも高ければ条件を満たしているとして選局通りに表示するが（Ｓ３１０）、低ければ条件を満たさないとして暗証番号入力を要求する（Ｓ３１３）。そして番号が一致すればやはり選局通りに表示するが（Ｓ３１０）、一致しなければワーニング画面などを表示して視聴させない（Ｓ３１５）。
【０００６】
【発明が解決しようとする課題】
しかしながら、上記ペアレンタルロック機能のロック設定解除方法では親自身がテレビ番組を選局した場合でも、その都度暗証番号を入力しなければならない。通常の視聴形態を考えると、親は子供が同席している時に青少年に好ましくないテレビ番組を見ることは視聴制御の趣旨から外れ、考えにくい。従って、親が居なくて子供だけの時のみ暗証番号入力が必要になるようにすれば便利だが現状のシステムでこれを切り替えるには、暗証番号を入力（Ｓ３０４）した後、ロック条件の設定変更メニュー（Ｓ３０６）から「ロックする／ロックしない」を設定し直さなければならず面倒である。
【０００７】
本発明は、前記の問題点を解消するためになされたものであって、ロックの設定／解除の切り替え操作毎に、毎回暗証番号入力が必要ない視聴制限制御を行う情報表示機器を提供することを目的とする。
【０００８】
【課題を解決するための手段】
本発明は、上記の目的を達成するため、次の構成を有する。
本発明の要旨は、例えば、ＢＳデジタル放送やスカイパーフェクＴＶ!を再送信するデジタルケーブルテレビ用の受信機には、一種の視聴制御であるスクランブル解除のためにＢ−ＣＡＳカードとＣ−ＣＡＳカードの挿入口が各一つ必要になり、このＢ−ＣＡＳカード及びＣ−ＣＡＳカードとその両挿入口の対応は１：１ではなく、入れ替えて挿入しても本来の機能には支障を来たさない。
【０００９】
そこで、これを利用し、Ｂ−ＣＡＳカードとＣ−ＣＡＳカードの挿入箇所、或は入れ替えを情報として利用する。
具体的には、視聴する場合には、Ａ）カードを正しく挿入した場合には、暗証番号入力に移行し、一致すればロック解除、一致しなければロックのままとし、視聴終了後は、Ｂ）カードを逆に挿入した場合には、ロックする。
【００１０】
本発明の要旨によれば、親が子供の居ない時に見るには、まずＡ）でカードを正しく挿入して暗証番号を入力することで常にロック解除された状態にする。テレビ番組を見終わると、Ｂ）でカードを逆に挿入し直してロックを元に戻す。従って暗証番号の入力は見始めの一回で済み、簡単な構成と作業により、ペアレンタルロック機能のロック設定解除を実現できる。
【００１１】
すなわち、本発明の第１の要旨は、暗証番号入力に基づいて視聴制限制御を行う情報表示機器であって、視聴制限の一部を解除する暗証番号を入力するための暗証番号入力部と、第１の表示信号の視聴制限の一部を解除するための第１の視聴部材を接続する第１の接続部と、第２の表示信号の視聴制限の一部を解除するための第２の視聴部材を接続する第２の接続部と、を有し、前記第１の視聴部材を前記第２の接続部に接続することで、前記暗証番号入力部からの前記暗証番号の入力待ち状態となることを特徴とする視聴制限制御を行う情報表示機器にある。
【００１２】
本発明の第２の要旨は、暗証番号入力に基づいて視聴制限制御を行う情報表示機器であって、視聴制限の一部を解除する暗証番号を入力するための暗証番号入力部と、第１の表示信号の視聴制限の一部を解除するための第１の視聴部材を接続する第１の接続部と、第２の表示信号の視聴制限の一部を解除するための第２の視聴部材を接続する第２の接続部と、を有し、前記第１の視聴部材を前記第２の接続部に接続し、かつ、前記第２の視聴部材を前記第１の接続部に接続することで、前記暗証番号入力部からの前記暗証番号の入力待ち状態となることを特徴とする視聴制限制御を行う情報表示機器にある。
【００１３】
本発明の第３の要旨は、前記第１の視聴部材と前記第２の視聴部材は、Ｂ−ＣＡＳカードとＣ−ＣＡＳカードであることを特徴とする要旨１又は２に記載の視聴制限制御を行う情報表示機器にある。
【００１４】
本発明の第４の要旨は、視聴制限が解除した時間を計測するタイマーを有し、該視聴制限解除時間が所定時間を越えた場合には、前記前記暗証番号の入力待ち状態となることを特徴とする要旨１又は２に記載の視聴制限制御を行う情報表示機器にある。
【００１５】
本発明の第５の要旨は、前記第１の表示信号又は前記第２の表示信号は、無線又は有線の放送信号、インターネットから送信されてくる表示信号、記憶媒体に記録された表示信号の何れか、或はその組合せであることを特徴とする要旨１又は２に記載の視聴制限制御を行う情報表示機器にある。
【００１６】
本発明の第１の要旨によれば、第１の視聴部材を第２の接続部に接続するだけで、暗証番号入力部からの前記暗証番号の入力待ち状態となるので、視聴終了後に再度、暗証番号の入力待ち状態にするための煩雑な暗証番号を入力した設定作業が不要とできる。また、第１の視聴部材が第２の接続部に接続された状態を見れば入力待ち状態になっていることを一見して理解できる。また、既存のハードウェアで実現できるため、コストアップにならない。
【００１７】
本発明の第２の要旨によれば、第１の視聴部材を第２の接続部に接続し、かつ、第２の視聴部材を第１の接続部に接続するだけで、暗証番号入力部からの暗証番号の入力待ち状態となるので、視聴終了後に再度、暗証番号の入力待ち状態にするための煩雑な暗証番号を入力した設定作業等が不要とできる。また、第１、第２の視聴部材の第１、第２の接続部への接続状態を見れば入力待ち状態になっていることを一見して理解できる。また、既存のハードウェアで実現できるため、コストアップにならない。
【００１８】
本発明の第３の要旨によれば、ＢＳデジタル放送やスカイパーフェクＴＶ！を再送信するケーブルテレビの受信機に用いることができる。
【００１９】
本発明の第４の要旨によれば、視聴制御を解除する際の手間を省けるとともに、時間が経てば自動的に元に戻る機能を併用することにより、視聴制御を元に復するのを忘れて解除したままにしてしまうことを防止できる。
【００２０】
本発明の第５の要旨によれば、視聴制限制御を行う放送信号、インターネット、記憶媒体に適用できる。
【００２１】
【発明の実施の形態】
本実施の形態では、例えば、ＢＳデジタル放送やスカイパーフェクＴＶ!を再送信するデジタルケーブルテレビ用の受信機には、一種の視聴制御であるスクランブル解除のためにＢ−ＣＡＳカードとＣ−ＣＡＳカードの挿入口が各一つ必要になり、このＢ−ＣＡＳカード及びＣ−ＣＡＳカードとその両挿入口の対応は１：１ではなく、入れ替えて挿入しても本来の機能には支障を来たさない。
【００２２】
そこで、これを利用し、Ｂ−ＣＡＳカードとＣ−ＣＡＳカードの挿入箇所、或は入れ替えを情報として利用する。
【００２３】
具体的には、視聴する場合には、カードを正しく挿入した場合には、暗証番号入力に移行し、一致すればロック解除、一致しなければロックのままとする。視聴終了後は、カードを逆に挿入することでロック状態に移行する。また、ロック解除時間が所定時間を超える場合には、自動的にロック状態に戻すものである。
【００２４】
上記構成とすることで、親が子供の居ない時に見るには、まずカードを正しく挿入して暗証番号を入力することで常にロック解除された状態にする。テレビ番組を見終わると、カードを適切でない挿入位置、すなわち逆の挿入位置、或は両カードを逆の挿入位置に接続することで、次回の視聴希望時に暗証番号入力を必要とするロック状態に戻す。
【００２５】
従って、視聴希望指示から視聴終了時のロック状態設定までの１視聴周期の間における暗証番号の入力機会は、視聴希望指示時の一回で済み、視聴終了後のロック状態の再度設定時には不要となるので、簡単な構成と作業により、ペアレンタルロック機能のロック設定解除とロック設定を実現可能となる。
【００２６】
以下、図面を参照して本発明の実施形態を詳細に説明する。
図１は、本実施形態に係るテレビ放送受信機のブロック構成図を示している。
【００２７】
受信部１０１では、ケーブルテレビ放送のＲＦ信号を受信してトランスポートストリームを取り出す。
【００２８】
視聴制御用カード１インターフェース部（Ｉ／Ｆ）１０５、及び視聴制御用カード２インターフェース部（Ｉ／Ｆ）１０６は、有料番組に掛けられているスクランブルを解除するための復号鍵を生成するＩＣカードとのインターフェース部であり、ＢＳデジタル放送とスカイパーフェクＴＶ！をデジタル再送信するケーブルシステムにおいては、両者でこのスクランブル視聴制御方式が異なることからＢ−ＣＡＳカード１０９と、Ｃ−ＣＡＳカード１１０と呼ばれる２つのカード挿入口が必要になる。
【００２９】
視聴制御用カード１インターフェース部（Ｉ／Ｆ）１０５用のＩＣカードがＢ−ＣＡＳカード１０９であり、視聴制御用カード２インターフェース部（Ｉ／Ｆ）１０６用のICカードがＣ−ＣＡＳカード１１０である。
【００３０】
デスクランブル部１０２では、有料放送のトランスポートストリームに掛けられているスクランブルをＩＣカードで生成した復号鍵を用いて解除する。
【００３１】
表示部１０３は、トランスポートストリームをデマルチプレクスした後、ＡＶデコードや映像合成出力処理をしてテレビ信号として出力する。
【００３２】
計測部１０７は、ロック解除時間をタイマーにより時間計測を行い、入力部１０８はリモコン信号を受信する。制御部１０４は、前記テレビ放送受信機全体を制御する。
【００３３】
次に、上記テレビ放送受信機のロック設定解除方法を、図２に示したフローチャートに基づいて行う。尚、前記従来例（図３）と同じステップには同一符号を付し、説明を省略する。
【００３４】
以下、図２のフローチャートに従って説明すると、従来と同様に受信機に初めて電源を入れるとユーザーは初期設定をして（Ｓ３００）、その「ロックする／ロックしない」の設定は不揮発メモリにフラグ（主ロックフラグ）として記憶される。さらに新たなフラグ（補助ロックフラグ）をロックしないとして非ロックで初期化し、不揮発メモリに記憶するともに（Ｓ２００）、上記述べたロック解除時間を計測するタイマーに初期値０を与える（Ｓ２０１）。
【００３５】
そして通常動作に入り、まずタイマー計測時間が上記のロック解除許可時間Tlimitだけ経過しているかをチェックする（Ｓ２０２）。そして経過していれば再びロックするよう補助ロックフラグをロックに戻して（Ｓ２０５）、タイマー計測を終了して時間０にした後（Ｓ２０６）、指示入力待ちになるが（Ｓ３０２）、もし経過していなければカード差し替えチェックに移行する（Ｓ２０３）。すなわち、視聴制御用カード１Ｉ／Ｆ１０５には、該視聴制御用カード１Ｉ／Ｆ１０５を介してスクランブルを解除するための復号鍵を生成する本来挿入されるべきＢ−ＣＡＳカード１０９ではないＣ−ＣＡＳカード１１０が挿入され、同様に視聴制御用カード２Ｉ／Ｆ１０６には、該視聴制御用カード２Ｉ／Ｆ１０６を介してスクランブルを解除するための復号鍵を生成する本来挿入されるべきＣ−ＣＡＳカード１１０ではないＢ−ＣＡＳカード１０９が挿入されているか否かの差し替えチェックを行う。
【００３６】
カード差し替えチェック（Ｓ２０３）では、カード差し替えが無ければ（本来のインターフェース部に適切なＩＣカードを挿入（接続）した状態）、やはり指示入力待ち（Ｓ３０２）になるが、カード差し替えがあった場合（本来のインターフェース部に適切なＩＣカードを挿入（接続）していない状態）には、各カードの内容を読み出してどっちがどっちのカードであるかのカード位置判別を行い（Ｓ２０４）、正しく２枚のカードが挿されている場合には暗証番号入力を要求し（Ｓ２０７）、入力された番号と予め設定されている暗証番号との一致を調べる（Ｓ２０８）。そして番号が一致すればロックしないように補助ロックフラグを非ロックにした後（Ｓ２０９）、タイマーでのロック解除時間の計測を開始するが（Ｓ２１０）、暗証番号が一致しなければロックするよう補助ロックフラグをロックにして（Ｓ２１１）、どちらの場合も指示入力待ちに入る（Ｓ３０２）。また、カード位置判別（２０４）で２枚のカードの位置が逆に挿入されていた場合には補助ロックフラグをロックにして、タイマー計測が行われていれば終了して時間０にした後（Ｓ２０６）、やはり指示入力待ちに入る（Ｓ３０２）。
【００３７】
以上のようにしてカード挿入位置による補助ロックフラグの極性（ロック／非ロック）が与えられる。そして入力待ち（Ｓ３０２）に入って、設定変更の入力があった場合は（Ｓ３０３）、暗証番号入力を要求（Ｓ３０４）からの従来と全く同じフローに沿った処理を行うため、ここでは説明を省略する。
【００３８】
入力待ちで選局指示があった場合（Ｓ３０２、Ｓ３０３）には、まずは従来と同じく設定メニューでのロック設定を反映した主ロックフラグがロックかどうかをチェックする（Ｓ３０９）。そして主ロックフラグがロックでなければ選局通りに表示する（Ｓ３１０）。主ロックフラグがロックならばさらに補助ロックフラグがロックかどうかをチェックする（Ｓ２１２）。そして補助ロックフラグがロックでなければ、やはり選局通りに表示する（Ｓ３１０）。なお、この補助ロックフラグがロックでない（＝非ロック）とはカードを正しく挿入して暗証番号入力にも成功し、ロック解除許可時間(Tlimit)もまだ経過していない状態である。
また、補助ロックフラグがロックならばそれ以降は、番組情報から該番組の視聴制限データを取り出し（Ｓ３１１）を始めとする従来と全くフローに沿った処理であるので説明を省略する。なお、補助ロックフラグがロックとは次の▲１▼〜▲３▼のいずれかの状態である。
【００３９】
▲１▼：カードが逆に挿入されている。
▲２▼：カードは正しく挿入されているが暗証番号入力に失敗。
▲３▼：カードが正しく挿入されて暗証番号入力も成功したので一旦ロック解除していたが、ロック解除許可時間(Tlimit)が既に経過してしまった。
【００４０】
以上述べたように実施の形態に係るテレビ放送受信機では、視聴制御用カードＩ／Ｆ１０５、１０６に対するカード１０９、１１０の入れ替えで簡単に一時的なロック解除、再度のロック設定ができるとともに、受信機に挿入されているカードを見れば一目でロックしているのか否かが分かるのでロックし忘れを防止できる。
【００４１】
更に、非ロック状態でも、ロック解除許可時間(Tlimit)を経過するとロック状態に戻る構成とすることで、視聴状態からカード１０９、１１０の入れ替えを忘れた場合であても確実にロック状態に戻すことができる。
【００４２】
またスイッチのような追加ハードウェアを全く必要としないのでコストアップにはならない。なお、子供に見せたくないチャンネルを視聴できないようにするチャンネルロック、ＰＰＶの購入金額で制限をかけるＰＰＶロックなどペアレンタルロック以外にも適用できる。
【００４３】
なお、前記の実施形態では本発明の好適例を説明したが、本発明はこれに限定されないことはもちろんである。
【００４４】
例えば、上記実施の形態では視聴状態からロック状態戻す手段として、視聴制御用カードＩ／Ｆ１０５、１０６に、カード１０９、１１０を入れ替える場合を説明したが、何れかカードを正しくないインターフェース部に挿入することでロック状態に戻してもよい。例えば、視聴制御用カードＩ／Ｆ１０５にカード１１０を挿入するか、視聴制御用カードＩ／Ｆ１０６にカード１０９を挿入することでロック状態戻す。係る構成の場合も、上記実施の形態と同様の作用効果を得ることができる。
【００４５】
また、上記実施の形態では視聴制限を行う情報表示機器としてテレビ放送受信機を例に説明したが、視聴制限を行う映像（情報）信号としては、有線、無線の放送信号に限らず、ＤＶＤソフトなどの蓄積メディア（記憶媒体）に記録された情報信号やインターネットから送信されてくる（受信する）情報信号がある。
【００４６】
従って、係る蓄積メディアやインターネットからの情報の表示装置に、視聴制御であるスクランブル解除のための、例えばＩＣカード状の解除部材を接続するインターフェース部を複数設け、解除部材の接続状態によりロック状態に自動的に戻す構成とすることもできる。
【００４７】
【発明の効果】
以上説明した通り、本発明の第１の要旨によれば、第１の視聴部材を第２の接続部に接続するだけで、暗証番号入力部からの前記暗証番号の入力待ち状態となるので、視聴終了後に再度、暗証番号の入力待ち状態にするための煩雑な暗証番号を入力した設定作業が不要とできる。また、第１の視聴部材が第２の接続部に接続された状態を見れば入力待ち状態になっていることを一見して理解できる。また、既存のハードウェアで実現できるため、コストアップにならない。
【００４８】
本発明の第２の要旨によれば、第１の視聴部材を第２の接続部に接続し、かつ、第２の視聴部材を第１の接続部に接続するだけで、暗証番号入力部からの暗証番号の入力待ち状態となるので、視聴終了後に再度、暗証番号の入力待ち状態にするための煩雑な暗証番号を入力した設定作業等が不要とできる。また、第１、第２の視聴部材の第１、第２の接続部への接続状態を見れば入力待ち状態になっていることを一見して理解できる。また、既存のハードウェアで実現できるため、コストアップにならない。
【００４９】
本発明の第３の要旨によれば、ＢＳデジタル放送やスカイパーフェクＴＶ！を再送信するケーブルテレビの受信機に用いることができる。
【００５０】
本発明の第４の要旨によれば、視聴制御を解除する際の手間を省けるとともに、時間が経てば自動的に元に戻る機能を併用することにより、視聴制御を元に復するのを忘れて解除したままにしてしまうことを防止できる。
【００５１】
本発明の第５の要旨によれば、視聴制限制御を行う放送信号、インターネット、記憶媒体に適用できる。
【図面の簡単な説明】
【図１】本発明の実施形態に係る視聴制限機能付き受信機のブロック図である。
【図２】本発明の実施形態に係るロック設定解除手順を示すフローチャートである。
【図３】従来のロック設定解除手順を示すフローチャートである。
【符号の説明】
１００  テレビ放送受信機
１０１  受信部
１０２  デスクランブル部
１０３  表示部
１０４  制御部
１０５  視聴制御用カード１Ｉ／Ｆ
１０６  視聴制御用カード２Ｉ／Ｆ
１０７  計測部
１０８  入力部
【図１】
0003973478.tif 000002
【図２】
0003973478.tif 000003
【図３】
0003973478.tif 000004